(57)【特許請求の範囲】
【請求項１】
少なくとも操作キーボタンが配列された操作面を形成するキーパネルを前記操作キーボタンに対応するスイッチが配列されたキー基板上に設けてなる携帯端末装置であって、
前記操作面の裏側であって、前記キー基板上に隣接する前記スイッチ間に配置されたマイクロフォンを備え、
前記キーパネルに前記マイクロフォンへ向けて音声を集音するためのマイク用貫通孔が開設されていることを特徴とする携帯端末装置。
【請求項２】
前記キーパネルの表面には前記操作キーボタンの区分を示す溝が形成され、前記マイク用貫通孔は該溝に形成されていることを特徴とする請求項１に記載の携帯端末装置。
【請求項３】
前記マイクロフォンは前記溝の交差する位置に対応して配置され、前記マイク用貫通孔は該溝の交差点に形成されていることを特徴とする請求項２に記載の携帯端末装置。
【発明の詳細な説明】
【技術分野】
【０００１】
本発明は携帯端末装置に関し、特に、マイクの取り付け構造において省スペース化を図った携帯端末装置に関する。
【背景技術】
【０００２】
従来、折り畳み式携帯電話機においては、液晶ディスプレイを具えた第１の筐体と、複数の操作キーを具えた第２の筐体とがヒンジ機構を介して互いに開閉可能に連結されている。そして、該ヒンジ機構によって、通話時やメール機能の使用時には、第１の筐体と第２の筐体を略１８０度に近い開き角度まで開くことが可能であるとともに、携帯時には、第１の筐体と第２の筐体の表面どうしを互いに突き合わせて２つに折り畳むことが可能となっている。
【０００３】
このような折り畳み式携帯電話機の従来例としては、例えば、下記の特許文献１（特開２００３−８７０８号公報）に記載されている。この携帯電話機は操作面にテンキー、電源キー、各種操作用のキーなどの操作キーが配設されている。操作キーは一部が弾性材からなるゴム部材上に形成されている。これら操作キーは筐体を構成するフロントケースに予め形成された開口から外部に露出されている。これらの操作キーの下面には夫々スイッチが対応して設けられたプリント基板が筐体を構成するリアケースに収容されている。
【０００４】
さらに、キー操作面の下方には送話部用のマイク穴が筐体に設けられており、その送話部の下面にはマイクが対応して配設されている。マイクの固定は筐体の裏にリブを設け、マイクモジュールを圧入する構造になっている。そして、使用者は操作面の開口から露出した操作キーを押しスイッチを作動させて携帯電話機の操作を行っていた。また、音声は筐体に形成した貫通孔を介しマイクに入力させて携帯電話機内で処理をしていた。
【特許文献１】特開２００３−８７０８号公報（段落［００３５］〜段落［００３６］、段落［００４０］〜段落［００４２］、図１、図２）
【発明の開示】
【発明が解決しようとする課題】
【０００５】
ところで、今まで主流になっていた折り畳み式の携帯電話機に加えて、最近ではバー状のストレート型やスライド式の携帯電話機も普及しつつある。特に、ハード面の小型、軽量化に加えてデザインを重視した携帯電話機が注目を集めてきており、様々なタイプのものが提案されている。
【０００６】
しかしながら、例えばストレート型携帯端末装置では、装置自体を小型化するために筐体の表面積を大きくすることに限界がある。そのため、操作面を十分に大きくすることができなかった。特に、上記特許文献１に開示されたマイクの取り付け構造では、筐体における操作面と同一面上にはマイクを配置するスペースを考慮する必要があるので、操作面のボタン面積やデザインが大きく制限されてしまう。従って、操作面には複数の操作キーを操作がしやすい大きさやデザインで設けることができないという問題点があった。上記の問題点は、携帯端末装置が小型であって、しかも多数の操作キーを必要とするものにあっては極めて重要であった。
【０００７】
そこで、本願の発明者は上記の問題点を解決すべく種々検討を重ねた結果、マイクを操作キーの下面（裏側）に配置するようになせば、上記の問題点を解消し得ることを想到し本発明を完成するに至ったものである。すなわち、本発明は、上記の問題点を解消することを課題とし、マイクを操作キーボタンの裏側に配置し、操作キーのボタンとボタンの隙間にマイク穴を設ける構造にすることで、十分な大きさの操作キーボタンを有する操作面を備えた携帯端末装置を提供することを目的とするものである。
【課題を解決するための手段】
【０００８】
前記課題を解決するために、本願の請求項１に係る発明は、少なくとも操作キーボタンが配列された操作面を形成するキーパネルを前記操作キーボタンに対応するスイッチが配列されたキー基板上に設けてなる携帯端末装置であって、前記操作面の裏側であって、前記キー基板上に隣接する前記スイッチ間に配置されたマイクロフォンを備え、前記キーパネルに前記マイクロフォンへ向けて音声を集音するためのマイク用貫通孔が開設されていることを特徴とする。
【０００９】
また、本願の請求項２に係る発明は、請求項１に係る携帯端末装置において、前記キーパネルの表面には前記操作キーボタンの区分を示す溝が形成され、前記マイク用貫通孔は該溝に形成されていることを特徴とする。
【００１０】
また、本願の請求項３に係る発明は、請求項２に係る携帯端末装置において、前記マイクロフォンは前記溝の交差する位置に対応して配置され、前記マイク用貫通孔は該溝の交差点に形成されていることを特徴とする。
【発明の効果】
【００１１】
本発明は、上述した解決手段により以下に述べるとおりの優れた効果を奏する。即ち、請求項１に係る発明によれば、少なくとも操作キーボタンが配列された操作面の裏側であって、操作キーボタンに対応するスイッチが配列されたキー基板上に隣接する前記スイッチ間に生じた間隙にマイクロフォンを配置し、操作面を形成するキーパネルにマイクロフォンへ向けて音声を導入するためのマイク用貫通孔が開設されている。
【００１２】
このような構成によれば、マイクロフォンがキー基板上のスイッチ間に生じる間隙に配置されており、筐体にマイク穴を設けるスペースが必要ないため、操作ボタンを携帯端末装置の表面にサイズ一杯まで広げることができる。従って、操作性が向上した携帯端末装置を提供できる。更に、マイクフォンを配置するためのメイン基板などの面積を占有せずにその部材を省くことができるので、メイン基板の小型化が可能となり、携帯端末装置の小型化が図れる。
【００１３】
また、本願の請求項２に係る発明によれば、請求項１の携帯端末装置において、キーパネルの表面には操作キーボタンの区分を示す溝が形成され、マイク用貫通孔は該溝に形成されている。
【００１４】
このような構成によれば、押圧された操作キーボタンの面の変形状態は溝によって隣接する操作キーボタンに影響を及ぼすことがなく隣接する操作キーボタンが不用意に変形して誤動作を生じることがない。特に、操作面が狭く操作キーボタン同士が接近している場合に好適である。また、集音のためのマイク用貫通孔が操作キーボタンと操作キーボタンの間にある溝の所にあるので、筐体にマイク穴を設ける必要がなく美観上好ましいためデザイン性に優れている。
【００１５】
また、本願の請求項３に係る発明によれば、請求項２の携帯端末装置において、マイクロフォンは溝の交差する位置に対応して配置され、マイク用貫通孔は該溝の交差点に形成されている。
【００１６】
このような構成によれば、マイクロフォンが隣接するスイッチの間に最も大きく生じる間隙に配置されるので、間隙を有効に利用してキー基板の表面を効率よく用いることができる。特に、小型の携帯端末装置に適用した場合にはその効果が著しい。
【発明を実施するための最良の形態】
【００１７】
以下、本発明の具体例を実施例及び図面を用いて詳細に説明する。ただし、以下に示す実施形態は、本発明の技術思想を具体化するための一実施の形態として携帯電話機を例示するものであって、本発明をこの携帯電話機に特定することを意図するものでなく、特許請求の範囲に含まれるその他の実施形態のものにも等しく適用し得るものである。
【実施例】
【００１８】
以下、本発明の実施例について図面を参照して説明する。図１は実施例における携帯電話機を示す平面図、図２は図１における携帯電話機を分解して示す斜視図、図３は図２におけるキーパネルを分解して示した斜視図、４は図１におけるＡ−Ａ線断面図、図５は図１におけるＢ−Ｂ線断面図である。
【００１９】
携帯電話機１は、図１で示す平面図の状態において、長方形の厚みの薄いキャビネット１０と、キャビネット１０の下方部分に設けられた操作部２０と、キャビネット１０の上方部分に設けられた表示部３０とから構成されている。
【００２０】
操作部２０は、図２、図３で示すように、テンキー、受信キー、送信キーなどの操作キーボタン２０１を表面に配置したキーパネル２０２と、キーパネル２０２の下層に位置したキー基板２０３とから構成されている。複数の操作キーボタン２０１は複数の行と列とによって配列されている。
【００２１】
キャビネット１０は、図２で示すように一面を開口とした箱状に形成されている。このキャビネット１０に上面から取付けられるシャーシ４０が形成されている。シャーシ４０の上方半分における上面には表示部３０が取付けられている。シャーシ４０の下方半分における上面には操作部２０が取付けられている。また、図４、図５で示すように、シャーシ４０の下方半分における下面には主回路基板５０が取付けられている。
【００２２】
キーパネル２０２は、その表面の中央部分が膨出するように湾曲されている。そして、キーパネル２０２は図３で示すように複数の層から形成されている。その構成は表面に配された中央部分が膨出したキートップ２０４と、その下面に配されたラバーシート補強板２０５と、最下面に配された平板状のラバーシート２０６とからなっている。
【００２３】
キートップ２０４は、例えばポリカーボネートの樹脂材からなり、操作キーボタン２０１が縦横に直線状に形成された溝２０７によって区分され、その区分内にテンキー、受信キー、送信キーなどの表示が施されている。ラバーシート補強板２０５は、例えばポリカーボネートの樹脂材からなり、溝２０７に対応した位置に枠２０８を残し、操作キーボタン２０１に対応した位置を切欠いて切欠き部２０９が形成されている。併せて、キートップ２０４の下面には枠２０８が嵌る嵌合用溝２１０が形成されている。ラバーシート２０６は、例えばシリコンゴムからなり、下面には後述するスイッチに対応する位置に突出部２１１が形成されている。また、キー基板２０３上に配設されるマイクロフォン６０に対応した位置を切欠いて切欠き部２１３が形成されている。
【００２４】
キー基板２０３上には操作キーボタン２０１に対応するスイッチ２１２が配置されている。これらのスイッチ２１２はメタルドームスイッチとして構成され全体的に薄い板状になっている。また、キー基板２０３上においては、隣接する４個のスイッチ２１２間に生じる間隙にシリコンマイクのような小型のマイクロフォン６０が配設されている。
【００２５】
キーパネル２０２は、固定部７０によってシャーシ４０に固定されている。この固定部７０は、キーパネル２０２を構成するラバーシート補強板２０５の縁の四箇所から下方に突出して設けた突出片７０１と、突出片７０１に形成したネジ７０２を貫通させる貫通孔７０３と、シャーシ５０の側壁に形成したネジ穴７０４とから構成されている。ここで、ネジ穴７０４は貫通孔７０３に対応した位置に形成されている。一方、貫通孔７０３に挿通されたネジ７０２はネジ穴７０４に螺合するようになっている。ここで、キートップ２０４は予めラバーシート補強板２０５に貼着されている。
【００２６】
キーパネル２０２には、マイクロフォン６０の上面における溝２０７の交差する位置にマイクロフォン６０へ向けて音声を集音するためのマイク用貫通孔６０１が形成されている。
【００２７】
また、主回路基板４０の裏側には電池収納部が形成され電池８０を収納するように構成されている。
【００２８】
次に、上述した実施例の構成による携帯電話機１の組立てについて図２、図３を参照して説明する。
【００２９】
まず、シャーシ４０の上方半分における上面には表示部３０を取付け、下方半分における上面にはマイクロフォン６０を配設したキー基板２０３を取付ける。そして、シャーシ４０の下方半分における下面には主回路基板５０を取付ける。
【００３０】
次に、キーパネル２０２は突出片７０１がシャーシ４０の側壁に沿うようにシャーシ４０方向に押付け、貫通孔７０３がネジ穴７０４に一致するように位置させる。その後は、貫通孔７０３にネジ７０２を挿通させネジ穴７０４に螺合させ、キーパネル２０２がシャーシ４０に固定されるようネジ止めを行う。
【００３１】
そして、操作部２０、表示部３０などを取付けたシャーシ４０は、キャビネット１０の上面から嵌め込み、キャビネット１０にネジ止めなどによって固定する。このようにしてキーパネル２０２をキャビネット１０に組み込んで携帯電話機１の組立ては完了する。
【００３２】
従って、上述した本発明の実施例による携帯電話機１は、操作部２０でもって操作を行い動作状態が表示部３０によって表示される。
【００３３】
操作部２０の操作は、キーパネル２０２上の複数の操作キーボタン２０１から所望のものを選択して押すことにより行う。押圧された操作キーボタン２０１は枠２０８内のキートップ２０４を撓ませ切欠き部２０９内に臨まされたラバーシート２０６を押す。この押圧力は突出部２１１に伝達されてこれを下層に変位させる。この変位によってキー基板２０３上のスイッチ２１２が作動される。すなわち、押圧された操作キーボタン２０１に対応したスイッチ２１２はラバーシート２０６を介して作動される。
【００３４】
ここで、キーパネル２０２を構成するキートップ２０４の押圧による歪（変形状態）は枠２０８が嵌っている嵌合用溝２１０によって隣接する操作キーボタン２０１のキートップ２０４部分に影響しないように遮断される。そのため、隣接する操作キーボタン２０１のキートップ２０４部分は変形しない。従って、キーパネル２０２は押圧された操作キーボタン２０１に隣接する操作キーボタン２０１に対応するスイッチ２０８が作動されることがない。また、操作キーボタン２０１の境界に施した溝２０７も上記遮断の効果を有する。
【００３５】
キー基板２０３上に配置されたマイクロフォン６０は溝２０７の交差する所に形成されたマイク用貫通孔６０１によって携帯電話機１の前方の音声を集音する。
【００３６】
上述した本発明の実施例によれば、携帯電話機１はマイクロフォン６０がキー基板２０３においてスイッチ２１２間に生じる間隙に配されているので、キー基板２０３が有効に利用される。そのため、キャビネット１０にマイクロフォン６０を配置する箇所を必要としないので、操作面はキャビネット１０の表面に大きくとることができる。従って、携帯電話機１の操作性が向上される。
【００３７】
また、携帯電話機１はマイクロフォン６０の集音のためのマイク用貫通孔６０１が溝２０７に設けられているので美観上好ましいものとなる。
【００３８】
更に、操作キーボタン２０１の境界線を示す溝２０７は、境界線の表示を示すだけでなく押圧された操作キーボタン２０１の歪が隣接する操作キーボタン２０１に伝わらないように遮断するのでスイッチ２１２の誤動作を防止する。
【００３９】
尚、本発明の実施例においては、マイク用貫通孔６０１は溝２０７の交差する位置に形成したが、交差する位置以外の溝２０７に形成してもよい。また、溝２０７以外の箇所に形成してもよい。
【図面の簡単な説明】
【００４０】
【図１】本発明の実施例にかかる携帯電話機を示す平面図である。
【図２】図１における携帯電話機を分解して示す斜視図である。
【図３】図２におけるキーパネルを分解して示した斜視図である。
【図４】図１におけるＡ−Ａ線断面図である。
【図５】図１におけるＢ−Ｂ線断面図である。
【符号の説明】
【００４１】
１          携帯電話機
１０        キャビネット
２０        操作部
３０        表示部
４０        シャーシ
５０        主回路基板
６０        マイクロフォン
７０        取付け部
２０１      操作キーボタン
２０２      キーパネル
２０３      キー基板
２０４      キートップ
２０５      ラバーシート補強板
２０６      ラバーシート
２０７      溝
２０８      枠
２０９      切欠き部
２１０      嵌合用溝
２１１      突出部
２１２      スイッチ
２１３      切欠き部
６０１      マイク用貫通孔
７０１      突出片
７０２      ネジ
７０３      貫通孔
７０４      ネジ穴
【図１】
0004804434.tif 000002
【図２】
0004804434.tif 000003
【図３】
0004804434.tif 000004
【図４】
0004804434.tif 000005
【図５】
0004804434.tif 000006